(57)【要約】    【課題】非常通報および当該非常通報の復旧のために必要とされる操作の利便性を高め、操作部の構造を簡素化させて製造コストの低減を図るとともに、意匠の制限を受けずに美観性が高められた居室親機を設ける。    【解決手段】玄関子機１からの居室呼び出しが報知され、この呼び出しに応答して通話を成立させることができる居室親機２ａにおいて、非常通報の設定のために操作される非常ボタン２３および当該非常通報の復旧のために操作される復旧ボタン２５０ａのうち、復旧ボタンをモニタ２５に表示させることができる。また、復旧ボタンは、モニタに取り付けられたタッチパネル２６を使用して入力操作を行うことができ、この入力操作は、所定の時間以上押すような特定の操作で有効となる。  【選択図】図１
2007096717.tif 000002
【特許請求の範囲】
【請求項１】
屋外、エントランスに設置され来訪者が居室呼び出しを行うための呼出部（１０）、前記来訪者が通話を成立させるための子機通話部（１１、１２）および前記来訪者の映像を撮像するためのカメラ（１３）を有する玄関子機（１）と、屋内に設置され前記玄関子機からの居室呼び出しに応答するための操作部（２０）、前記来訪者との間で通話を成立させるための親機通話部（２１、２２）および前記玄関子機のカメラにて撮像された映像を出画するためのタッチパネル（２６）付モニタ（２５）を有する居室親機（２）とを備え、
前記居室親機には、切迫した状況時に操作され非常通報を行うための非常ボタン（２３）と、前記非常ボタンの操作を検出するためのＣＰＵ（２９）と、前記非常ボタンの操作を検出した前記ＣＰＵの制御により前記モニタに表示され、前記タッチパネルにより入力操作が行われて前記非常通報を復旧させるための復旧ボタン（２５０ａ）とを設けたことを特徴とするインターホンシステム。
【請求項２】
屋外、エントランスに設置され来訪者が居室呼び出しを行うための呼出部（１０）、前記来訪者が通話を成立させるための子機通話部（１１、１２）および前記来訪者の映像を撮像するためのカメラ（１３）を有する玄関子機（１）と、屋内に設置され前記玄関子機からの居室呼び出しに応答するための操作部（２０）、前記来訪者との間で通話を成立させるための親機通話部（２１、２２）および前記玄関子機のカメラにて撮像された映像を出画するためのタッチパネル（２６）付モニタ（２５）を有する居室親機（２）とを備え、
前記居室親機には、前記モニタのトップ画面上に表示され、切迫した状況時に前記タッチパネルにより入力操作され非常通報を行うための非常ボタン（２５０ｂ）と、前記非常ボタンの操作を検出するためのＣＰＵ（２９）と、前記非常ボタンの操作を検出した前記ＣＰＵの制御により前記非常ボタンの代わりに前記モニタに表示され、前記タッチパネルにより入力操作が行われて前記非常通報を復旧させるための復旧ボタン（２５０ａ）とを設けたことを特徴とするインターホンシステム。
【請求項３】
前記居室親機は、前記モニタが所定の面積以上押されたことを検出したとき、前記ＣＰＵの制御により前記非常通報を行うとともに、前記復旧ボタンに切り替えて表示させることを特徴とする請求項２記載のインターホンシステム。
【請求項４】
前記非常ボタンは、所定の時間以上押されていることを検出したとき、前記非常通報として動作することを特徴とする請求項２または請求項３記載のインターホンシステム。
【請求項５】
前記復旧ボタンは、所定の時間以上押されていることを検出したとき、前記非常通報が復旧することを特徴とする請求項１乃至請求項４のうち何れか１項記載のインターホンシステム。
【請求項６】
前記居室親機は、前記非常通報時に親機スピーカ（２２）から警報音を鳴動させ、前記警報音の停止操作がなされた場合にのみ復旧操作を可能とする制御を行うことを特徴とする請求項１乃至請求項５のうち何れか１項記載のインターホンシステム。
【発明の詳細な説明】
【技術分野】
【０００１】
本発明はインターホンシステムに係り、特に、居住者にとって切迫した状況時、例えば、泥棒等の不審者が屋内に侵入しているような場合や急病となった場合等において、非常通報のために必要とされる操作の利便性を高めたインターホンシステムに関する。
【背景技術】
【０００２】
従来から、非常通報の報知機能を有するインターホンシステムとして、集合住宅のエントランスに設置されたカメラ付集合玄関機との間で通話を成立させるための通話機能、ガスや火災等の非常事態をセンサにて監視するためのセキュリティ監視機能、カメラ付集合玄関機にて撮像された映像およびセンサからのセキュリティ情報をモニタに表示する機能を有する居室親機が集合住宅の各住戸内に設置された集合住宅インターホンシステムが開示されている（例えば、特許文献１を参照。）。
【０００３】
【特許文献１】特開２００３−１４３３０７号公報（段落番号「００２５」、第１図）
【発明の開示】
【発明が解決しようとする課題】
【０００４】
しかしながら、背景技術に記載した特許文献１の集合住宅インターホンシステムにおいて、セキュリティ監視機能を能動とするために操作される非常ボタンや、非常通報を報知するための警報音の鳴動を停止させて当該非常通報を停止するために操作される警報音停止復旧ボタンは、居室親機の所定の位置、すなわち、図示から明らかな機器上部に配置されており一定の面積を占有しているため、意匠の制限を受けて美観性が低下する虞があった。また、非常ボタンおよび警報音停止復旧ボタンは、その機構が複雑なスイッチ構造であるため、製造コストが増大していた。
【０００５】
本発明は、この難点を解消するためになされたもので、非常通報および当該非常通報の復旧のために必要とされる操作の利便性を高め、操作部の構造を簡素化させて製造コストの低減を図るとともに、意匠の制限を受けずに美観性が高められた居室親機を有するインターホンシステムを提供することを目的としている。
【課題を解決するための手段】
【０００６】
前述の目的を達成するため、本発明の第１の態様であるインターホンシステムは、屋外、エントランスに設置され来訪者が居室呼び出しを行うための呼出部、来訪者が通話を成立させるための子機通話部および来訪者の映像を撮像するためのカメラを有する玄関子機と、屋内に設置され玄関子機からの居室呼び出しに応答するための操作部、来訪者との間で通話を成立させるための親機通話部および玄関子機のカメラにて撮像された映像を出画するためのタッチパネル付モニタを有する居室親機とを備えたものである。居室親機には、切迫した状況時に操作され非常通報を行うための非常ボタンと、非常ボタンの操作を検出するためのＣＰＵと、非常ボタンの操作を検出したＣＰＵの制御によりモニタに表示され、タッチパネルにより入力操作が行われて非常通報を復旧させるための復旧ボタンとを設けている。
【０００７】
また、本発明の第２の態様であるインターホンシステムは、屋外、エントランスに設置され来訪者が居室呼び出しを行うための呼出部、来訪者が通話を成立させるための子機通話部および来訪者の映像を撮像するためのカメラを有する玄関子機と、屋内に設置され玄関子機からの居室呼び出しに応答するための操作部、来訪者との間で通話を成立させるための親機通話部および玄関子機のカメラにて撮像された映像を出画するためのタッチパネル付モニタを有する居室親機とを備えたものである。居室親機には、モニタのトップ画面上に表示され、切迫した状況時にタッチパネルにより入力操作され非常通報を行うための非常ボタンと、非常ボタンの操作を検出するためのＣＰＵと、非常ボタンの操作を検出したＣＰＵの制御により非常ボタンの代わりにモニタに表示され、タッチパネルにより入力操作が行われて非常通報を復旧させるための復旧ボタンとを設けている。
【０００８】
また、本発明の第３の態様であるインターホンシステムは、本発明の第２の態様において、居室親機は、モニタが所定の面積以上押されたことを検出したとき、ＣＰＵの制御により非常通報を行うとともに、復旧ボタンに切り替えて表示させるものである。
【０００９】
また、本発明の第４の態様であるインターホンシステムは、本発明の第２の態様または第３の態様において、非常ボタンは、所定の時間以上押されていることを検出したとき、非常通報として動作するものである。
【００１０】
また、本発明の第５の態様であるインターホンシステムは、本発明の第１の態様乃至第４の態様において、復旧ボタンは、所定の時間以上押されていることを検出したとき、非常通報が復旧するものである。
【００１１】
また、本発明の第６の態様であるインターホンシステムは、本発明の第１の態様乃至第５の態様において、居室親機は、非常通報時にスピーカから警報音を鳴動させ、警報音の停止操作がなされた場合にのみ復旧操作を可能とする制御を行うためのものである。
【発明の効果】
【００１２】
本発明のインターホンシステムによれば、玄関子機からの居室呼び出しが報知され、この呼び出しに応答して通話を成立させることができる居室親機において、非常通報の設定のために操作される非常ボタンおよび当該非常通報の復旧のために操作される復旧ボタンのうち、復旧ボタンをモニタに表示させることができる。この復旧ボタンは、モニタに取り付けられたタッチパネルを使用して入力操作を行うことができるため、復旧機能のために必要とされる操作部の構造が簡素化されて製造コストの低減が図られる。また、復旧ボタンの配置のために必要とされていた居室親機の占有面積が不要となることから、意匠の制限を受けずに当該居室親機の美観性を高めることができる。さらには、非常通報の復旧のために必要とされる操作が、該当する操作部を所定の時間以上押すような特定の操作に限定されるため、非常通報を復旧させる必要がない場合における誤動作を容易に防止できる。
【００１３】
本発明のインターホンシステムによれば、玄関子機からの居室呼び出しが報知され、この呼び出しに応答して通話を成立させることができる居室親機において、非常通報の設定のために操作される非常ボタンおよび当該非常通報の復旧のために操作される復旧ボタンをモニタに表示させることができる。これら非常ボタンおよび復旧ボタンは、モニタに取り付けられたタッチパネルを使用して入力操作を行うことができるため、非常通報の設定機能および復旧機能のために必要とされる操作部の構造が簡素化されて製造コストの低減が図られる。また、非常ボタンおよび復旧ボタンの配置のために必要とされていた居室親機の占有面積が不要となることから、意匠の制限を受けずに当該居室親機の美観性をより高めることができる。さらには、非常通報および当該非常通報の復旧のために必要とされる操作が、該当する操作部を所定の時間以上押すような特定の操作に限定されるため、非常通報する必要がない場合や当該非常通報を復旧させる必要がない場合における誤動作を容易に防止できる。
【発明を実施するための最良の形態】
【００１４】
以下、本発明のインターホンシステムを適用した最良の実施の形態例について、図面を参照して説明する。
【００１５】
最初に、本発明を実施するための最良の一形態であるインターホンシステムとして、第１の実施例について説明する。図１（ａ）は、本発明の第１の実施例であるインターホンシステムの外観構成を示すシステム説明図である。
【００１６】
図１（ａ）に示すインターホンシステムは、戸建住宅の屋外、エントランスに設置され、来訪者による呼出／通話機能および映像撮像機能を有する玄関子機１と、屋内に設置され、伝送路Ｌを経由して接続された玄関子機１からの呼び出し、すなわち、来訪者からの呼び出しを報知する呼出報知機能、居住者による応答／通話機能および映像出画機能を有する居室親機２ａとを備えている。
【００１７】
玄関子機１は、呼出ボタン１０、マイク（以下、子機マイクという。）１１、スピーカ（以下、子機スピーカという。）１２、カメラ１３を有している。ここで、呼出ボタン１０は、来訪者が居室呼び出しを行うために操作する呼出部を構成している。
【００１８】
また、子機マイク１１および子機スピーカ１２は、来訪者が居住者との間で通話を成立させるにあたり、音声（送話音声、受話音声）を入出力するための子機通話部を構成している。
【００１９】
さらに、カメラ１３は、（呼出操作を行った）来訪者の映像や自機器が設置された周囲近傍の映像を撮像するためのものである。このカメラ１３としては、例えば、ＣＣＤ（Charge Coupled Device）撮像素子、ＣＭＯＳ（Complementary Metal Oxide Semiconductor）撮像素子等が好適とされる。
【００２０】
居室親機２ａは、通話ボタン２０、マイク（以下、親機マイクという。）２１、スピーカ（以下、親機スピーカという。）２２、非常ボタン２３、警報音（鳴動）停止ボタン２４、モニタ２５を有しており、モニタ２５の前面（表示面側）には、タッチパネル２６が取り付けられている。ここで、通話ボタン２０は、居住者が来訪者からの居室呼び出しに応答するための操作を行う操作部を構成している。
【００２１】
また、親機マイク２１および親機スピーカ２２は、居住者が来訪者との間で通話を成立させるにあたり、音声（送話音声、受話音声）を入出力するための親機通話部を構成している。なお、親機スピーカ２２は、例えば、泥棒等の不審者が屋内に侵入している場合や急病になった場合等のように居住者にとって切迫した状況時において、非常通報を行うにあたり警報音（音声メッセージを含む。）を鳴動する機能を有している。
【００２２】
また、非常ボタン２３は、切迫した状況時において非常通報を行うにあたり操作するものである。
【００２３】
また、警報音停止ボタン２４は、親機スピーカ２２からの警報音の鳴動を停止させるために操作するものである。
【００２４】
また、モニタ２５は、玄関子機１のカメラ１３にて撮像された映像を出画するとともに、非常通報を復旧させるために操作される復旧ボタン２５０ａを表示するものである。このモニタ２５としては、例えば、ＬＣＤ（Liquid Crystal Display）、有機ＥＬ（Electro Luminescence）ディスプレイ等が好適とされる。なお、モニタ２５には、前述の映像出画／表示機能の他に、来訪者からの呼び出しがある旨の文字メッセージや絵データ等を表示する機能も備えられている。
【００２５】
さらに、タッチパネル２６は、モニタ２５に表示される復旧ボタン２５０ａを選択するための入力操作が行われるものである。
【００２６】
図１（ｂ）は、本発明の第１の実施例であるインターホンシステムにおいて、居室親機２ａの具体的な構成を示すブロック図である。
【００２７】
図１（ｂ）に示す居室親機２ａには、前述の通話ボタン２０、親機マイク２１、親機スピーカ２２、非常ボタン２３、警報音停止ボタン２４、モニタ２５およびタッチパネル２６と、通話回路２７と、復調回路２８と、ＣＰＵ２９と、通信回路（以下、親機Ｉ／Ｆという。）３０とが備えられている。
【００２８】
この居室親機２ａにおいて、通話回路２７は、ＣＰＵ２９により制御され、親機マイク２１および親機スピーカ２２を介して入出力される音声（送話音声、受話音声）であり、信号処理された音声信号について４線／２線変換、２線／４線変換、増幅等を行い、信号伝送ライン（通話ライン）を形成するためのものである。
【００２９】
復調回路２８は、ＣＰＵ２９により制御され、玄関子機１のカメラ１３にて撮像された映像であり、ＦＭ変調された後に伝送路Ｌ、親機Ｉ／Ｆ３０を経由して伝送されてくる映像信号を復調し、モニタ２５に出力するためのものである。
【００３０】
ＣＰＵ２９は、当該居室親機の構成各部／回路をそれぞれ制御するためのものである。
【００３１】
親機Ｉ／Ｆ３０は、通話回路２７および伝送路Ｌの間における双方向の信号伝送ライン（通話ライン）、伝送路Ｌから復調回路２８への信号伝送ライン、ＣＰＵ２９および伝送路Ｌの間における双方向の信号伝送ラインを、それぞれ形成するためのものである。
【００３２】
このように構成された本発明の第１の実施例であるインターホンシステムにおいて、以下、具体的な動作について、図１（ａ）、図１（ｂ）および図１（ｃ）の画面構成図をそれぞれ参照して説明する。なお、図１（ｃ）は、居室親機２ａのモニタ２５に表示される画面の一例を示す図である。
【００３３】
また、第１の実施例において、来訪者が居室呼び出しを行い、居住者との間で通話を成立させる動作は、先行技術等の各種文献に開示されている（戸建住宅用の）インターホンシステムにおいて公知の動作であるため、その説明は省略する。
【００３４】
居住者にとって切迫した状況時、例えば、泥棒等の不審者が屋内に侵入しているような場合や急病となった場合等において、非常通報を行うためには、図１（ａ）に示す居室親機２ａの非常ボタン２３を押す。この操作を検出した図１（ｂ）に示すＣＰＵ２９は、モニタ２５を制御して図１（ｃ）に示す画面、すなわち、非常警報である旨の文字メッセージおよび復旧ボタン２５０ａが表示された画面（以下、非常警報画面という。）を当該モニタのトップ画面上に表示させるとともに、警報通報のための警報音を生成して親機スピーカ２２から鳴動させることができる。
【００３５】
また、居室親機２ａのＣＰＵ２９にて生成された警報音は、親機Ｉ／Ｆ３０、伝送路Ｌを経由して玄関子機１へと伝送され、子機スピーカ１２から鳴動されて屋外に居る人物等に非常通報を移報することもできる。
【００３６】
さらに、居室親機２ａに、公衆回線や専用回線を経由して警備会社等の端末機器（図示せず）、例えば、パーソナルコンピュータや外出中の居住者により携行されている携帯電話のような携帯端末（図示せず）が接続されている場合、非常ボタン２３の操作を検出したＣＰＵ２９は、この端末機器や携帯端末に非常通報を移報することもできる。
【００３７】
なお、居室親機２ａのＣＰＵ２９は、その制御として、非常通報の移報を行った場合には、前述のような非常警報画面の表示や警報音の鳴動をせずに、例えば、屋内に侵入した泥棒等の不審者が驚いて在室中の居住者に危害を及ぼす可能性を低く抑えることができる。また、非常通報のための操作を行った居住者に対しては、その確認手段として、モニタ２５の表示色を変更させる手段が好適とされる。
【００３８】
次に、前述のような非常通報（移報）を復旧させるにあたり、この非常通報（移報）を確認して駆けつけた人物、例えば、警備会社等の社員や外出先から戻ってきた居住者は、最初の操作として、居室親機２ａの警報音停止ボタン２４を押す。この操作を検出したＣＰＵ２９は、親機スピーカ２２（および玄関子機１の子機スピーカ１２）からの警報音の鳴動を停止させることができる。
【００３９】
この後、居室親機２ａの親機スピーカ２２からの警報音の鳴動が停止されたことを確認した人物、例えば、警備会社等の社員や外出先から戻ってきた居住者は、タッチパネル２６を使用した入力操作により、モニタ２５の非常警報画面に表示されている復旧ボタン２５０ａを所定の時間以上押す。この操作を検出したＣＰＵ２９は、モニタ２５を制御して非常警報画面の表示を停止させることができる。すなわち、居室親機２ａにおける非常通報が復旧されることになる。
【００４０】
なお、居室親機２ａのＣＰＵ２９の制御により、警備会社等に非常通報の移報が行われていた場合、この非常通報を完全に復旧させるためには、当該警備会社等の端末機器にて所定の復旧操作（詳述せず）を行う必要がある。
【００４１】
前述までの説明から明らかなように、居室親機２ａのＣＰＵ２９は、警報音停止ボタン２４が押された後において、タッチパネル２６を使用した入力操作により、モニタ２５の非常警報画面に表示されている復旧ボタン２５０ａが所定の時間以上押されたときにのみ、非常警報画面を非表示とする制御、すなわち、非常通報を復旧させることができる。この制御は、復旧ボタン２５０ａの押された時間が所定の時間未満、例えば、ワンショットの操作の場合には行われないことから、非常通報を復旧させる必要がない場合に誤って復旧されるような誤動作の発生を容易に防止できる。また、復旧ボタン２５０ａは、モニタ２５の非常警報画面に表示されるため、複雑なスイッチ構造として居室親機２ａの所定の位置、例えば、機器上部に設ける必要がないことから、意匠の制限を受けずに当該居室親機の美観性を高めることができる。
【００４２】
次に、本発明を実施するための最良の一形態であるインターホンシステムとして、第２の実施例について説明する。図２（ａ）は、本発明の第２の実施例であるインターホンシステムの外観構成を示すシステム説明図である。
【００４３】
なお、本発明の第２の実施例において、前述の第１の実施例と同様な構成各部／回路については、同一の符号を付与してその説明は省略する。
【００４４】
図２（ａ）に示すインターホンシステムは、戸建住宅の屋外、エントランスに設置された呼出ボタン１０、子機マイク１１、子機スピーカ１２、カメラ１３を有する玄関子機１と、屋内に設置され、伝送路Ｌを経由して玄関子機１に接続されており、通話ボタン２０、親機マイク２１、親機スピーカ２２、警報音停止ボタン２４、モニタ２５を有する居室親機２ｂとを備えている。また、居室親機２ｂのモニタ２５の前面（表示面側）には、タッチパネル２６が取り付けられている。
【００４５】
図２（ｂ）は、本発明の第２の実施例であるインターホンシステムにおいて、居室親機２ｂの具体的な構成を示すブロック図である。この居室親機２ｂには、前述の通話ボタン２０、親機マイク２１、親機スピーカ２２、警報音停止ボタン２４、モニタ２５およびタッチパネル２６と、通話回路２７と、復調回路２８と、ＣＰＵ２９と、親機Ｉ／Ｆ３０とが備えられている。
【００４６】
このように構成された本発明の第２の実施例であるインターホンシステムにおいて、以下、具体的な動作について、前述の図２（ａ）、図２（ｂ）および図２（ｃ）の画面構成図をそれぞれ参照して説明する。なお、図２（ｃ）は、居室親機２ｂのモニタ２５に表示される画面の一例を示す図である。
【００４７】
また、第２の実施例において、来訪者が居室呼び出しを行い、居住者との間で通話を成立させる動作は、前述の第１の実施例と同様、先行技術等の各種文献に開示されている（戸建住宅用の）インターホンシステムにおいて公知の動作であるため、その説明は省略する。
【００４８】
居住者にとって切迫した状況時、例えば、泥棒等の不審者が屋内に侵入しているような場合や急病となった場合等において、非常通報を行うためには、最初の操作として、以下の２種の操作のうち何れかの操作を行う。第１の操作としては、図２（ｂ）に示す居室親機２ｂのモニタ２５のトップ画面上に予め表示されている図２（ｃ）に示す起動画面の非常ボタン２５０ｂを、タッチパネル２６を使用した入力操作により所定の時間以上押す。一方、第２の操作としては、タッチパネル２６を使用した入力操作により、モニタ２５（のトップ画面）を所定の時間以上押す。何れかの操作を検出したＣＰＵ２９は、トップ画面の表示内容を切り替えるようにモニタ２５を制御して、前述の第１の実施例と同様な非常警報画面を表示させるとともに、警報通報のための警報音を生成して親機スピーカ２２から鳴動させることができる。
【００４９】
また、居室親機２ｂのＣＰＵ２９にて生成された警報音は、前述の第１の実施例と同様、玄関子機１の子機スピーカ１２から鳴動されて屋外に居る人物等に非常通報を移報することもできる。
【００５０】
さらに、居室親機２ｂに、前述の第１の実施例と同様、公衆回線や専用回線を経由して警備会社等の端末機器（図示せず）、例えば、パーソナルコンピュータや外出中の居住者により携行されている携帯電話のような携帯端末（図示せず）が接続されている場合、第１の操作または第２の操作を検出したＣＰＵ２９は、この端末機器や携帯端末に非常通報を移報することもできる。
【００５１】
なお、居室親機２ｂのＣＰＵ２９は、前述の第１の実施例と同様、その制御として、非常通報の移報を行った場合には、前述のような非常警報画面の表示や警報音の鳴動をせずに、例えば、屋内に侵入した泥棒等の不審者が驚いて在室中の居住者に危害を及ぼす可能性を低く抑えることができる。また、非常通報のための操作を行った居住者に対しては、その確認手段として、モニタ２５の表示色を変更させる手段が好適とされる。
【００５２】
前述までの説明から明らかなように、居室親機２ｂのＣＰＵ２９は、第１の操作または第２の操作を検出したときにのみ、モニタ２５のトップ画面の表示内容を切り替えて非常警報画面を表示させるための制御、警報音の生成制御（および非常警報の移報制御）を行う。これらの制御は、非常ボタン２５０ｂの押された時間、またはモニタ２５（のトップ画面）の押された時間が所定の時間未満、例えば、ワンショットの操作の場合には行われないことから、非常通報の必要がない場合に誤って非常通報されるような誤動作の発生を容易に防止できる。また、非常ボタン２５０ｂは、モニタ２５の起動画面に表示されるため、複雑なスイッチ構造として居室親機２ｂの所定の位置、例えば、機器上部に設ける必要がないことから、意匠の制限を受けずに当該居室親機の美観性を高めることができる。
【００５３】
次に、前述のような非常通報（移報）を復旧させるにあたり、この非常通報（移報）を確認して駆けつけた人物、例えば、警備会社等の社員や外出先から戻ってきた居住者は、前述の第１の実施例と同様、最初の操作として、居室親機２ｂの警報音停止ボタン２４を押す。この操作を検出したＣＰＵ２９は、親機スピーカ２２（および玄関子機１の子機スピーカ１２）からの警報音の鳴動を停止させることができる。
【００５４】
この後、居室親機２ｂの親機スピーカ２２からの警報音の鳴動が停止されたことを確認した人物、例えば、警備会社等の社員や外出先から戻ってきた居住者は、タッチパネル２６を使用した入力操作により、モニタ２５の非常警報画面に表示されている復旧ボタン２５０ａを所定の時間以上押す。この操作を検出したＣＰＵ２９は、モニタ２５を制御して非常警報画面の表示を起動画面の表示に切り替えることができる。すなわち、居室親機２ｂにおける非常通報が復旧されることになる。
【００５５】
なお、居室親機２ｂのＣＰＵ２９の制御により、警備会社等に非常通報の移報が行われていた場合、この非常通報を完全に復旧させるためには、前述の第１の実施例と同様、当該警備会社等の端末機器にて所定の復旧操作（詳述せず）を行う必要がある。
【００５６】
前述までの説明から明らかなように、居室親機２ｂのＣＰＵ２９は、警報音停止ボタン２４が押された後において、タッチパネル２６を使用した入力操作により、モニタ２５の非常警報画面に表示されている復旧ボタン２５０ａが所定の時間以上押されたときにのみ、非常警報画面の表示を起動画面の表示に切り替える制御、すなわち、非常通報を復旧させることができる。この制御は、復旧ボタン２５０ａの押された時間が所定の時間未満、例えば、ワンショットの操作の場合には行われないことから、非常通報を復旧させる必要がない場合に誤って復旧されるような誤動作の発生を容易に防止できる。また、復旧ボタン２５０ａは、モニタ２５の非常警報画面に表示されるため、複雑なスイッチ構造として居室親機２ｂの所定の位置、例えば、機器上部に設ける必要がないことから、前述の第１の実施例と同様、意匠の制限を受けずに当該居室親機の美観性を高めることができる。
【００５７】
なお、本発明の第１、第２の各実施例であるインターホンシステムにおいて、居室親機２ａ、２ｂの通話ボタン２０は、図示のように当該居室親機の機器下部に設けた場合について説明したが、この態様に限定されるものではない。例えば、来訪者により玄関子機１の呼出ボタン１０が操作されたような呼出時において、その旨を報知するにあたりモニタ２５のトップ画面上に表示される呼出報知画面（図示せず）に通話ボタン２０を設け、この通話ボタン２０を、タッチパネル２６を使用した入力操作により選択することができる。
【００５８】
また、本発明の第１、第２の各実施例であるインターホンシステムにおいて、居室親機２ａ、２ｂの警報音停止ボタン２４は、図示のように当該居室親機の機器中央部（付近）に設けた場合について説明したが、この態様に限定されるものではない。例えば、モニタ２５のトップ画面上に表示される非常警報画面に復旧ボタン２５０ａとともに警報音停止ボタン２４を設け、この警報音停止ボタン２４を、タッチパネル２６を使用した入力操作により選択することができる。
【００５９】
さらに、本発明の第１、第２の各実施例によれば、当該インターホンシステムを戸建住宅に適用させた場合について説明したが、この態様に限定されるものではない。第３の実施例として、例えば、マンション等の集合住宅に適用させることもできる。具体的な構成としては、図３のシステム説明図に示すように、玄関子機１と同様な機能を有する集合玄関機５１を集合玄関（エントランス）に設置し、居室親機２ａ、２ｂと同様な機能を有する複数台の居室親機５２、５２、・・・を複数の住戸の屋内にそれぞれ設置するばかりでなく、管理室内に設置される管理室親機５３と、集合玄関機５１、居室親機５２、５２、・・・、管理室親機５３をそれぞれ制御するための制御機５４とが備えられている。
【００６０】
この居室親機５２、５２、・・・において、居室親機２ａ、２ｂと同様な非常通報のための操作が行われると、当該居室親機では、非常警報画面の表示や警報音の鳴動は行わず、管理室親機５３に対して警報通報の移報を行うことができる。この制御により、例えば、屋内に侵入した泥棒等の不審者が驚いて在室中の居住者に危害を及ぼす可能性を低く抑えることができる。また、非常通報のための操作を行った居住者に対しては、その確認手段として、モニタの表示色を変更させる手段が好適とされる。
【００６１】
なお、本発明のインターホンシステムにおいては、特定の実施の形態をもって説明してきたが、この形態に限定されるものでなく、本発明の効果を奏する限り、これまで知られた如何なる構成であっても採用できるということはいうまでもないことである。
【図面の簡単な説明】
【００６２】
【図１】（ａ）は、本発明の第１の実施例であるインターホンシステムの外観構成を示すシステム説明図である。（ｂ）は、本発明の第１の実施例であるインターホンシステムにおいて、居室親機の具体的な構成を示すブロック図である。（ｃ）は、本発明の第１の実施例であるインターホンシステムにおいて、居室親機のモニタに表示される画面の一例を示す画面構成図である。
【図２】（ａ）は、本発明の第２の実施例であるインターホンシステムの外観構成を示すシステム説明図である。（ｂ）は、本発明の第２の実施例であるインターホンシステムにおいて、居室親機の具体的な構成を示すブロック図である。（ｃ）は、本発明の第２の実施例であるインターホンシステムにおいて、居室親機のモニタに表示される画面の一例を示す画面構成図である。
【図３】本発明の第３の実施例であるインターホンシステムの外観構成を示すシステム説明図である。
【符号の説明】
【００６３】
１……玄関子機
１０……呼出ボタン（呼出部）
１１……子機マイク（子機通話部）
１２……子機スピーカ（子機通話部）
１３……カメラ
２ａ、２ｂ……居室親機
２０……通話ボタン（操作部）
２１……親機マイク（親機通話部）
２２……親機スピーカ（親機通話部）
２３、２５０ｂ……非常ボタン
２５……モニタ
２６……タッチパネル
２９……ＣＰＵ
２５０ａ……復旧ボタン
【図１】
2007096717.tif 000003
【図２】
2007096717.tif 000004
【図３】
2007096717.tif 000005